(57)【要約】【課題】どのような形状の既設のマンホールであっても簡単な作業で補強を行えるようにする。【解決手段】マンホール１の下床版１０に沿う位置であって、相対向する２つの側壁部分の間（例えば、側壁部分１２ａと側壁部分１２ｃとの間や、側壁部分１２ｂと側壁部分１２ｄとの間）に介装されるように強化層（具体的には、超高強度モルタルを流し込んで形成した超高強度モルタル層）１３を配置する。この強化層１３により、側壁部分に作用する外力Ｆ１を受けることができ、マンホール１の補強をすることができる。そして、上述の強化層１３は、超高強度モルタルを流し込むことにより形成することができるので、どのような形状のマンホールであっても補強が可能であり、また、補強のための作業も簡素化される。【選択図】図１
2010275724.tif 000002
【特許請求の範囲】
【請求項１】
下床版と上床版と側壁とを有する既設のマンホールを補強する、マンホールの補強構造において、
前記側壁における相対向する２つの側壁部分の間に介装されるように、前記下床版の上面に沿って敷設された超高強度モルタル層等の強化層、
を備えたことを特徴とする、マンホールの補強構造。
【請求項２】
前記側壁の少なくとも一部を支持するように、前記上床版の下面に沿って配置された支保工、
を備えたことを特徴とする請求項１に記載の、マンホールの補強構造。
【請求項３】
前記支保工は、前記側壁の少なくとも一部に沿うように、アンカーボルトにより前記上床版に固定された形鋼であり、
少なくとも該形鋼と前記上床版との間、或いは前記形鋼と前記側壁との間にはモルタルが充填されてなる、
ことを特徴とする請求項２に記載の、マンホールの補強構造。
【発明の詳細な説明】
【技術分野】
【０００１】
本発明は、下床版と上床版と側壁とを有する既設のマンホールを補強する、マンホールの補強構造に関する。
【背景技術】
【０００２】
道路に敷設されているマンホールは、通常は鉄筋コンクリート製であって、当然ながら、通行車両の重量に十分に耐えうるような強度に設定されている。
【０００３】
しかしながら、交通量が少ない時代に設置されたマンホールは、無筋のものが多く、車両重量や交通量が増大する傾向にある近年においては、その強度不足が懸念されている。そこで、そのような無筋の既設マンホールを補強することに関し、種々の補強構造が提案されている（例えば、特許文献１及び２参照。）。
【０００４】
図２は、マンホールの従来の補強構造の一例を示す断面図であって、符号２０は、地中に埋設されたマンホールを示し、符号２１は、マンホール２０の内壁面に沿って敷設された複数の補強用ブロックを示す。これらのブロック２１は、接着剤で接着されるようになっている。
【先行技術文献】
【特許文献】
【０００５】
【特許文献１】特開２００８−００２１７５号公報
【特許文献２】特開２００２−１２９５８９号公報
【発明の概要】
【発明が解決しようとする課題】
【０００６】
しかしながら、図２に示す補強構造の場合、補強用ブロック２１をマンホール内に搬入し、マンホールの所定の位置に敷設し、さらに、接着剤で接着していく必要があるが、それらの一連の作業を狭いマンホール内に行わなければならず、作業が大変であった。特に、電話線や通信ケーブル等が敷設されている管渠の場合には、マンホール内にもそれらの線等が敷設されていて邪魔になり、特に作業が大変であった。
【０００７】
本発明は、上述の問題を解消する、マンホールの補強構造を提供することを目的とするものである。
【課題を解決するための手段】
【０００８】
請求項１に係る発明は、図１(a) 〜(c) に例示するものであって、下床版（１０）と上床版（１１）と側壁（１２）とを有する既設のマンホール（１）を補強する、マンホールの補強構造において、
前記側壁（１２）における相対向する２つの側壁部分（例えば、符号１２ａ及び１２ｃで示す部分や、符号１２ｂ及び１２ｄで示す部分）の間に介装されるように、前記下床版（１０）の上面に沿って敷設された超高強度モルタル層等の強化層（１３）、を備えたことを特徴とする。
【０００９】
請求項２に係る発明は、請求項１に係る発明において、前記側壁（１２）の少なくとも一部を支持するように、前記上床版（１１）の下面に沿って配置された支保工（１４）を備えたことを特徴とする。
【００１０】
請求項３に係る発明は、図１(d) に例示するものであって、請求項２に係る発明において、前記支保工が、前記側壁の少なくとも一部（１２ａ）に沿うように、アンカーボルト（２５）により前記上床版（１１）に固定された形鋼（２４）であり、
少なくとも該形鋼（２４）と前記上床版（１１）との間、或いは前記形鋼（２４）と前記側壁（１２ａ）との間にはモルタル（２６）が充填されてなることを特徴とする。
【００１１】
なお、括弧内の番号などは、図面における対応する要素を示す便宜的なものであり、従って、本記述は図面上の記載に限定拘束されるものではない。
【発明の効果】
【００１２】
請求項１に係る発明によれば、相対向する２つの側壁部分の間には超高強度モルタル層等の強化層が介装されているので、該側壁部分に作用する力を前記強化層にて受けることが出来、既設のマンホール（具体的には、側壁部分）を補強することが出来る。また、本発明における強化層は、超高強度モルタルや超高強度コンクリートを流し込んで形成するものであるので、マンホールの底部の形状がどのような形状（つまり、四角形や五角形のような多角形、略円形、楕円形、及びその他の形状）であっても補強を行うことができる。さらに、本発明によれば、超高強度モルタルを流し込んだり超高強度コンクリートを打設したりするという簡単な作業で済み、マンホール内の狭い空間での作業を低減することが可能となる。
【００１３】
請求項２及び３に係る発明によれば、側壁の上部を支保工によって補強することができる。
【図面の簡単な説明】
【００１４】
【図１】図１(a) は、本発明に係るマンホールの補強構造の一例を示す断面図（垂直断面図）であり、同図(b)は、そのＢ−Ｂ断面図であり、同図(c) は、(a) のＣ−Ｃ断面図であり、同図(d) は、支保工の形状及び配置状態の一例を示す拡大断面図である。
【図２】図２は、マンホールの従来の補強構造の一例を示す断面図である。
【発明を実施するための形態】
【００１５】
以下、図１に沿って、本発明の実施の形態について説明する。
【００１６】
本発明は、既設のマンホールを補強する補強構造に関するものであって、該マンホールは、図１(a) に符号１で例示するように、
・  該マンホール１の底部を形成する下床版１０と、
・  該マンホール１の天井部を形成する上床版１１と、
・  該マンホール１の側部を形成する側壁１２
等によって構成されている。なお、このマンホール１は、同図(c) に示すように、
・  符号１２aで示す側壁部分と符号１２ｃで示す側壁部分
・  符号１２ｂで示す側壁部分と符号１２ｄで示す側壁部分
・  符号１２ｂで示す側壁部分と符号１２ｅで示す側壁部分
・  符号１２ｃで示す側壁部分と符号１２ｅで示す側壁部分
が、それぞれ相対向した状態に配置されているが、該相対向する２つの側壁部分の間、すなわち、
・  側壁部分１２aと側壁部分１２ｃとの間
・  側壁部分１２ｂと側壁部分１２ｄとの間
・  側壁部分１２ｂと側壁部分１２ｅとの間、及び
・  側壁部分１２ｃと側壁部分１２ｅとの間
に介装されるように、前記下床版１０の上面に沿って強化層１３が敷設されている（図１(a) (b) 参照）。ここで、“該強化層が  相対向する２つの側壁部分の間に介装される状態”とは、一方の側壁部分（例えば、側壁部分１２ａ）から他方の側壁部分（例えば、側壁部分１２ｃ）まで前記強化層が連続的に配置されて、側壁部分に作用する力（図１(a)
に矢印Ｆ１で示すような、前記下床版１０の面に沿った方向に作用する力）を受けることができる状態を意味する。ここで、強化層としては、
・  超高強度モルタルを流し込んで形成した層（超高強度モルタル層）や、
・  超高強度コンクリートを打設して形成した層（超高強度コンクリート層）
などを挙げることができる。本発明によれば、相対向する２つの側壁部分の間（例えば、側壁部分１２aと側壁部分１２ｃとの間）には前記強化層１３が介装されているので、該側壁部分に作用する力Ｆ１を前記強化層１３にて受けることが出来、既設のマンホール（具体的には、側壁部分１２ａ，…）を補強することが出来る。また、本発明における強化層１３は、超高強度モルタルや超高強度コンクリートを流し込んで形成するものであるので、マンホール１の底部の形状がどのような形状（つまり、四角形や五角形のような多角形、略円形、楕円形、及びその他の形状）であっても補強を行うことができる。さらに、本発明によれば、超高強度モルタルを流し込んだり超高強度コンクリートを打設したりするという簡単な作業で済み、マンホール内の狭い空間での作業を低減することが可能となる。
【００１７】
ところで、図１(a)
〜(c) に示す構造のものでは、強化層１３は  全ての側壁部分１２a，…に接するように  前記下床版１０の上面の略全体に敷設されているが、該上面の全体にではなく一部に配置されて  一組の側壁部分にのみ接するように配置されている状態を  本発明の範囲から除外するものではない。そのような状態でも、側壁部分（強化層が接している側壁部分）に作用する力は前記強化層で受けることができるからである。つまり、“相対向する２つの側壁部分の間に強化層が介装された”とは、“少なくとも一組の側壁部分の間に強化層が介装された”の意味である。
【００１８】
なお、上述のように下床版１０に沿って強化層１３を配置すれば側壁１２の下部が補強されることとなるが、側壁１２の上部は、強化層ではなく支保工１４を配置して補強するようにすると良い。具体的には、側壁１２の少なくとも一部を支持するように、上床版１１の下面に沿って支保工１４を配置すると良い。なお、図１(a) 〜(c) に示す支保工１４は、側壁部分１２ａ，１２ｂ，１２ｃ，１２ｄに接触するように配置された枠状の部分１４ａと、図１(c) に示すように十字状に配置された部分１４ｂ，１４ｃと、によって構成されているが、もちろんこれに限られるものではなく、図示以外の形状としても良い。マンホール内の上部空間（つまり、上床版１１に沿った部分）に超高強度モルタルや超高強度コンクリートによる層を形成しようとすると、型枠等の形成が必要となって作業が煩雑となるが、支保工１４を設置する場合には、そのような煩雑さが低減される。この支保工１４には、軽量化及び耐久性に優れたアルミ材を使用すると良い。ここで、図１(d) に示すように、形鋼（支保工）２４を前記側壁１２の一部１２ａに沿うようにアンカーボルト２５で上床版１１に固定し、少なくとも該形鋼２４と前記上床版１１との間、或いは前記形鋼２４と前記側壁部分１２ａとの間にモルタル２６を打設するようにしても良い。そのように構成した場合には、側壁部分１２ａに作用する力Ｆ２をモルタル２６や形鋼２４を介してアンカーボルト２５にて受けることができ、既設のマンホールを補強することが可能となる。また、形鋼２４は、マンホール内に設置できる寸法であれば足り、形鋼２４の寸法を  補強対象であるマンホールの形状や寸法に合わせて細かく調整する必要が無いため、その分、補強の作業を簡素化することができる。ところで、形鋼２４と側壁部分１２ａとを僅かに離間させておいて、その隙間にモルタル２６を充填するようにしても良い。そのようにした場合には、側壁部分１２ａが平坦であるか否かを問わずに形鋼２４を配置することが出来、しかも、該側壁部分１２ａに作用する力Ｆ２は、前記隙間（形鋼２４と側壁部分１２ａとの間の隙間）に充填されたモルタル２６を介して形鋼２４に伝えられ、該側壁部分１２ａの補強を確実に行うことが可能となる。なお、図１(d)
に示す形鋼２４は溝形鋼であるが、モルタル２６の型枠として機能する形状であれば良く、例えば、Ｈ形鋼やＬ形鋼等の形鋼を用いても良く、モルタルの流れ止め用シール部材を使用すれば  他の形状の形鋼を用いても良い。ところで、図１(d)
では、符号１２ａで示す側壁部分についてのみ示すが、当然のことながら、上述の形鋼２４を他の側壁部分１２ｂ，…に沿うように配置しても良い。
【００１９】
また、本発明は、
・  下水管や、
・  電話線のための管渠や、
・  その他の通信ケーブルのための管渠
等、どのような管渠のマンホールにも適用することができる。
【符号の説明】
【００２０】
１              マンホール
１０            下床版
１１            上床版
１２            側壁
１２ａ，１２ｂ，１２ｃ，１２ｄ        側壁部分
１３            強化層
【図１】
2010275724.tif 000003
【図２】
2010275724.tif 000004